【手続補正書】
【提出日】平成24年11月20日(2012.11.20)
【手続補正１】
【補正対象書類名】特許請求の範囲
【補正対象項目名】全文
【補正方法】変更
【補正の内容】
【特許請求の範囲】
【請求項１】
強化繊維の糸条が少なくとも長手方向に延在する強化繊維テープを複数枚積層させた強化繊維積層体の製造方法であって、前記強化繊維テープの少なくとも一部が強化繊維テープの長手方向に湾曲するように第１の載置面上に静電気力により吸着固定させながら前記強化繊維テープを載置することを特徴とする強化繊維積層体の製造方法。
【請求項２】
前記強化繊維テープの強化繊維が互いに平行になるように複数枚載置することにより長手方向に湾曲した強化繊維集合体を形成し、第１の載置面上に載置された前記強化繊維集合体の上に第２の載置面を接触させ、第２の載置面の静電気力を作用させた後に、第１の載置面の静電気力を解除し、前記第２の載置面上に前記強化繊維集合体を静電気力により吸着固定し、しかる後に第１の載置面を第２の載置面から離反させ、前記強化繊維集合体を前記第２の載置面へ移載する移載工程を複数回繰り返すことで強化繊維集合体を積層して強化繊維積層体を形成することを特徴とする請求項１に記載の強化繊維積層体の製造方法。
【請求項３】
前記第１の載置面の静電気力の解除は、静電吸着板の主電源を切断し、変圧器２次側を接地および短絡する機能を持ち合わせることにより、蓄積した電荷を消滅させることを特徴とする請求項２に記載の強化繊維積層体の製造方法。
【請求項４】
前記強化繊維集合体を複数枚積層して長手方向に湾曲した強化繊維積層体を形成することを特徴とする請求項２または３に記載の強化繊維積層体の製造方法。
【請求項５】
第１の載置面上に載置された強化繊維集合体の上に第３の載置面を接触させ、第３の載置面の静電気力を作用させた後に前記第１の載置面の静電気力を解除し、前記第３の載置面に強化繊維集合体を静電気力により吸着固定し、前記第３の載置面を第１の載置面から離反し、前記強化繊維集合体を吸着保持した状態で前記第３の載置面を第２の載置面まで移載し、前記第３の載置面と第２の載置面を接触させ、第２の載置面の静電気力を作用させた後に第３の載置面の吸着を解除し、前記第２の載置面上に前記強化繊維集合体を静電気力により吸着固定し、前記第３の載置面を第２の載置面から離反させる工程を複数回繰り返すことで、前記強化繊維集合体を積層して強化繊維積層体を形成することを特徴とする請求項１〜４のいずれかに記載の強化繊維積層体の製造方法。
【請求項６】
第１の載置面上に載置された強化繊維テープの形状を加熱固定することを特徴とする請求項１〜５のいずれかに記載の強化繊維積層体の製造方法。
【請求項７】
第２の載置面上に載置された強化繊維集合体の形状を加熱固定することを特徴とする請求項１〜５のいずれかに記載の強化繊維積層体の製造方法。
【請求項８】
強化繊維テープに用いる強化繊維が導電性を有する炭素繊維を少なくとも含んでなることを特徴とする請求項１〜７のいずれかに記載の強化繊維積層体の製造方法。
【請求項９】
ロール状に巻かれた強化繊維テープを解反させつつ第１の載置面上に供給する基材供給手段と、基材供給手段を第１の載置面上で移動する移動手段と、第１の載置面が前記強化繊維テープを静電気力により静電吸着させる吸着手段とを備えることを特徴とする強化繊維積層体の製造装置。
【請求項１０】
前記第１の載置面に載置された強化繊維集合体を第２の載置面へ移載・載置する移載手段を備えることを特徴とする請求項９に記載の強化繊維積層体の製造装置。
【請求項１１】
強化繊維集合体を載置する第２の載置面の吸着手段として、静電気力により前記強化繊維集合体を吸着保持する静電吸着機能を備えることを特徴とする請求項１０に記載の強化繊維積層体の製造装置。
【請求項１２】
前記第１の載置面に載置された前記強化繊維集合体を第３の載置面上に吸着させる吸着手段と、前記第３の載置面を第２の載置面上まで移載する移載手段と、前記強化繊維集合体を第２の載置面に吸着する吸着手段とを備えることを特徴とする請求項９に記載の強化繊維積層体の製造装置。
【請求項１３】
強化繊維集合体を載置する第２の載置面や第３の載置面の吸着手段として、静電気力により前記強化繊維集合体を吸着保持する静電吸着機能を備えることを特徴とする請求項１２に記載の強化繊維積層体の製造装置。
【請求項１４】
第１の載置面上に載置された強化繊維テープの形状を加熱固定する加熱手段を有することを特徴とする請求項９に記載の強化繊維積層体の製造装置。
【請求項１５】
第２の載置面上に載置された強化繊維集合体の形状を加熱固定する加熱手段を有することを特徴とする請求項１１に記載の強化繊維積層体の製造装置。
【手続補正２】
【補正対象書類名】明細書
【補正対象項目名】００１４
【補正方法】変更
【補正の内容】
【００１４】
上記の目的を達成するために、本発明は、以下の手段を採用するものである。すなわち、
（１）強化繊維の糸条が少なくとも長手方向に延在する強化繊維テープを複数枚積層させた強化繊維積層体の製造方法であって、前記強化繊維テープの少なくとも一部が強化繊維テープの長手方向に湾曲するように第１の載置面上に静電気力により吸着固定させながら前記強化繊維テープを載置することを特徴とする強化繊維積層体の製造方法。
（２）前記強化繊維テープの強化繊維が互いに平行になるように複数枚載置することにより長手方向に湾曲した強化繊維集合体を形成し、第１の載置面上に載置された前記強化繊維集合体の上に第２の載置面を接触させ、第２の載置面の静電気力を作用させた後に、第１の載置面の静電気力を解除し、前記第２の載置面上に前記強化繊維集合体を静電気力により吸着固定し、しかる後に第１の載置面を第２の載置面から離反させ、前記強化繊維集合体を前記第２の載置面へ移載する移載工程を複数回繰り返すことで強化繊維集合体を積層して強化繊維積層体を形成することを特徴とする（１）に記載の強化繊維積層体の製造方法。
（３）前記第１の載置面の静電気力の解除は、静電吸着板の主電源を切断し、変圧器２次側を接地および短絡する機能を持ち合わせることにより、蓄積した電荷を消滅させることを特徴とする（２）に記載の強化繊維積層体の製造方法。
（４）前記強化繊維集合体を複数枚積層して長手方向に湾曲した強化繊維積層体を形成することを特徴とする（２）または（３）に記載の強化繊維積層体の製造方法。
（５）第１の載置面上に載置された強化繊維集合体の上に第３の載置面を接触させ、第３の載置面の静電気力を作用させた後に前記第１の載置面の静電気力を解除し、前記第３の載置面に強化繊維集合体を静電気力により吸着固定し、前記第３の載置面を第１の載置面から離反し、前記強化繊維集合体を吸着保持した状態で前記第３の載置面を第２の載置面まで移載し、前記第３の載置面と第２の載置面を接触させ、第２の載置面の静電気力を作用させた後に第３の載置面の吸着を解除し、前記第２の載置面上に前記強化繊維集合体を静電気力により吸着固定し、前記第３の載置面を第２の載置面から離反させる工程を複数回繰り返すことで、前記強化繊維集合体を積層して強化繊維積層体を形成することを特徴とする（１）〜（４）のいずれかに記載の強化繊維積層体の製造方法。
（６）第１の載置面上に載置された強化繊維テープの形状を加熱固定することを特徴とする（１）〜（５）のいずれかに記載の強化繊維積層体の製造方法。
（７）第２の載置面上に載置された強化繊維集合体の形状を加熱固定することを特徴とする（１）〜（５）のいずれかに記載の強化繊維積層体の製造方法。
（８）強化繊維テープに用いる強化繊維が導電性を有する炭素繊維を少なくとも含んでなることを特徴とする（１）〜（７）のいずれかに記載の強化繊維積層体の製造方法。
（９）ロール状に巻かれた強化繊維テープを解反させつつ第１の載置面上に供給する基材供給手段と、基材供給手段を第１の載置面上で移動する移動手段と、第１の載置面が前記強化繊維テープを静電気力により静電吸着させる吸着手段とを備えることを特徴とする、強化繊維積層体の製造装置。
（１０）前記第１の載置面に載置された強化繊維集合体を第２の載置面へ移載・載置する移載手段を備えることを特徴とする（９）に記載の強化繊維積層体の製造装置。
（１１）強化繊維集合体を載置する第２の載置面の吸着手段として、静電気力により前記強化繊維集合体を吸着保持する静電吸着機能を備えることを特徴とする（１０）に記載の強化繊維積層体の製造装置。
（１２）前記第１の載置面に載置された前記強化繊維集合体を第３の載置面上に吸着させる吸着手段と、前記第３の載置面を第２の載置面上まで移載する移載手段と、前記強化繊維集合体を第２の載置面に吸着する吸着手段とを備えることを特徴とする（９）に記載の強化繊維積層体の製造装置。
（１３）強化繊維集合体を載置する第２の載置面や第３の載置面の吸着手段として、静電気力により前記強化繊維集合体を吸着保持する静電吸着機能を備えることを特徴とする（１２）に記載の強化繊維積層体の製造装置。
（１４）第１の載置面上に載置された強化繊維テープの形状を加熱固定する加熱手段を有することを特徴とする（９）に記載の強化繊維積層体の製造装置。
（１５）第２の載置面上に載置された強化繊維集合体の形状を加熱固定する加熱手段を有することを特徴とする（１１）に記載の強化繊維積層体の製造装置。
である。